(57)【要約】【課題】吸気口及び／または排気口付近に障害物があることを検知し、投写型映像表示装置が過熱するのを防止する。【解決手段】少なくとも、投写型映像表示装置を構成する筐体壁部に設けられた排気口と、該排気口を介して筐体内の熱気を排出する排気ファンと、投写型映像表示装置を構成する筐体壁部に設けられた吸気口と、該吸気口を介して筐体内に空気を吸引する吸気ファンを有する投写型映像表示装置において、前記吸気口及び排気口付近に障害物の有無を検知する検知手段をそれぞれ設け、該検知手段により前記排気口付近に障害物があることを検知した時、前記吸気ファンと排気ファンを逆回転にする投写型映像表示装置とする。【選択図】図１
2009192859.tif 000002
【特許請求の範囲】
【請求項１】
少なくとも、投写型映像表示装置を構成する筐体壁部に設けられた排気口と、該排気口を介して筐体内の熱気を排出する排気ファンを有する投写型映像表示装置において、前記排気口付近に障害物の有無を検知する検知手段を設け、該検知手段による検知情報に基き前記排気ファンを逆回転にすることを特徴とする投写型映像表示装置。
【請求項２】
少なくとも、投写型映像表示装置を構成する筐体壁部に設けられた吸気口と、該吸気口を介して筐体内に空気を吸引する吸気ファンを有する投写型映像表示装置において、前記吸気口付近に障害物の有無を検知する検知手段を設け、該検知手段による検知情報に基き前記吸気ファンを逆回転にすることを特徴とする投写型映像表示装置。
【請求項３】
少なくとも、投写型映像表示装置を構成する筐体壁部に設けられた排気口と、該排気口を介して筐体内の熱気を排出する排気ファンと、投写型映像表示装置を構成する筐体壁部に設けられた吸気口と、該吸気口を介して筐体内に空気を吸引する吸気ファンを有する投写型映像表示装置において、前記吸気口及び排気口付近に障害物の有無を検知する検知手段をそれぞれ設け、該検知手段により前記排気口付近に障害物があることを検知した時、前記吸気ファンと排気ファンを逆回転にすることを特徴とする投写型映像表示装置。
【請求項４】
前記検知手段が障害物を検知したら、アラーム警告をすることを特徴とする請求項１、２又は３に記載の投写型映像表示装置。
【請求項５】
前記筐体には多数の給排気用窓を有することを特徴とする請求項１、２又は３に記載の投写型映像表示装置。
【発明の詳細な説明】
【背景技術】
【０００１】
この発明は、液晶プロジェクタなどの投写型映像表示装置に関する。
【０００２】
図５は、従来技術による３板式液晶プロジェクタの光学系を示した平面図である。光源１の発光部２が発する光はパラボラリフレクタ３によって平行光とされ、集光レンズ（不図示）及び全反射ミラー４を経た後、第１ダイクロイックミラー５へと導かれる。第１ダイクロイックミラー５は、赤色波長帯域の光を透過し、シアン（緑＋青）の波長帯域の光を反射する。第１ダイクロイックミラー５を透過した赤色波長帯域の光は、全反射ミラー６にて反射されて光路を変更される。全反射ミラー６にて反射された赤色光は赤色光用の透過型の液晶ライトバルブ２１を透過することによって光変調される。一方、第１ダイクロイックミラー５にて反射したシアンの波長帯域の光は、第２ダイクロイックミラー７に導かれる。
【０００３】
第２ダイクロイックミラー７は、青色波長帯域の光を透過し、緑色波長帯域の光を反射する。第２ダイクロイックミラー７にて反射した緑色波長帯域の光は、緑色光用の透過型の液晶ライトバルブ２２に導かれ、これを透過することで光変調される。また、第２ダイクロイックミラー７を透過した青色波長帯域の光は、リレーレンズ（不図示）、全反射ミラー８、リレーレンズ（不図示）、及び全反射ミラー９を経て青色光用の透過型の液晶ライトバルブ２３に導かれ、これを透過することで光変調される。
【０００４】
液晶ライトバルブ２１、２２、２３を経ることで変調された変調光（各色映像光）は、ダイクロイックプリズム１０によって合成されてカラー映像光となる。このカラー映像光は、投写レンズ１１によって拡大投写され、スクリーン（不図示）上に投影表示される。
【０００５】
このような液晶プロジェクタにおいては、光源１から照射された強い光が液晶ライトバルブを透過することになり、特に偏光板によって一部光エネルギーが吸収されるため、液晶ライトバルブにおいて温度上昇が生じる。この温度上昇を放置すると、偏光板、液晶層、薄膜トランジスタ等の特性が変化してしまうため、そのようなことのないように、筐体１２に吸気口１３及び排気口１４を設け、例えば排気口１４に排気ファン１５を設置し、これによって液晶ライトバルブ等を冷却することが行われている。
【０００６】
【特許文献１】ＷＯ９８／１３７２５号公報
【発明の開示】
【発明が解決しようとする課題】
【０００７】
吸気口または排気口付近に障害物があると、吸気口または排気口を塞いだり、吸気、排気が不充分になり冷却が効率よくできなくなることがあり、投写型映像表示装置が過熱しダウンすることがある。本発明は吸気口及び／または排気口付近に障害物があることを検知し、投写型映像表示装置が過熱するのを防止することを目的としている。
【課題を解決するための手段】
【０００８】
少なくとも、投写型映像表示装置を構成する筐体壁部に設けられた排気口と、該排気口を介して筐体内の熱気を排出する排気ファンを有する投写型映像表示装置において、前記排気口付近に障害物の有無を検知する検知手段を設け、該検知手段による検知情報に基き前記排気ファンを逆回転にする投写型映像表示装置とする。
【０００９】
少なくとも、投写型映像表示装置を構成する筐体壁部に設けられた吸気口と、該吸気口を介して筐体内に空気を吸引する吸気ファンを有する投写型映像表示装置において、前記吸気口付近に障害物の有無を検知する検知手段を設け、該検知手段による検知情報に基き前記吸気ファンを逆回転にする投写型映像表示装置とする。
【００１０】
少なくとも、投写型映像表示装置を構成する筐体壁部に設けられた排気口と、該排気口を介して筐体内の熱気を排出する排気ファンと、投写型映像表示装置を構成する筐体壁部に設けられた吸気口と、該吸気口を介して筐体内に空気を吸引する吸気ファンを有する投写型映像表示装置において、前記吸気口及び排気口付近に障害物の有無を検知する検知手段をそれぞれ設け、該検知手段により前記排気口付近に障害物があることを検知した時、前記吸気ファンと排気ファンを逆回転にする投写型映像表示装置とする。
【００１１】
前記検知手段が障害物を検知したら、アラーム警告をする投写型映像表示装置とする。
【００１２】
前記筐体には多数の給排気用窓を有する投写型映像表示装置とする。
【発明の効果】
【００１３】
障害物検知手段により吸気口または排気口付近に障害物があることを検知し、吸気ファン及びまたは排気ファンを逆回転にすることにより、冷却効果の低減を防止することができる。
【００１４】
障害物検知手段により障害物を検知したら、アラーム警告により使用者に報知できるので、使用者が気が付き、障害物を取り除くことが可能となる。
【００１５】
筐体に多数の給排気用窓を設けたので、吸気口または排気口が障害物により塞がれてアラーム警告された場合に、すぐに障害物を除去する対応ができない場合でも、多数の給排気用窓から吸気または排気ができ投写型映像表示装置内の急激な温度上昇は防ぐことができる。
【発明を実施するための最良の形態】
【００１６】
少なくとも、投写型映像表示装置を構成する筐体壁部に設けられた排気口と、該排気口を介して筐体内の熱気を排出する排気ファンと、投写型映像表示装置を構成する筐体壁部に設けられた吸気口と、該吸気口を介して筐体内に空気を吸引する吸気ファンを有する投写型映像表示装置において、前記吸気口及び排気口付近に障害物の有無を検知する検知手段をそれぞれ設け、該検知手段により前記排気口付近に障害物があることを検知した時、警報を行うと共に、前記吸気ファンと排気ファンを逆回転にする投写型映像表示装置とする。
【実施例１】
【００１７】
図１は本発明による単板型液晶投写型映像表示装置の要部構成模式図である。図中、３１は光源ランプ、３２は反射鏡、３３は障害物検知センサ、３４は一対の偏光フィルター板、３５は液晶パネル、３６は一対のレンズ、３７は赤外線カットフィルター、３８は投写レンズ、３９は吸気ファン、４０は排気ファン、４１は筐体である。尚、本発明の説明において、吸気ファンと排気ファンは回転が逆になると排気ファンと吸気ファンに変わるので、仮に決めているだけである（以下同じ）。
【００１８】
このような構成において、光源３１と反射鏡３２の反射光は、赤外線カットフィルター３７で赤外線成分をカットした後、レンズ３６、偏光フィルター板３４を経て通過し、さらに液晶パネル３５の映像を投写レンズ３８で拡大してスクリーン（不図示）に投影する。一方、吸気ファン３９と排気ファン４０が筐体４１の側面に設けられ、液晶パネル３５及び偏光フィルター板３４、光源３１等を冷却している。
【００１９】
図１において、光源３１からの光によって、偏光フィルター板３４と液晶パネル３５の温度が上昇する。この際に吸気ファン３９からの冷却風が、偏光フィルター板３４と液晶パネル３５の間及び光源３１周辺に流される。その結果、偏光フィルター板３４と液晶パネル３５及び光源３１等の温度上昇を抑えることができる。また、排気ファン４０により筐体４１内の温度が上昇した空気が排気される。吸気ファン３９と排気ファン４０が連動することにより筐体４１内の空気の流れを作り、効率的に筐体４１内の温度上昇を防ぐことができる。
【００２０】
しかしながら、吸気ファン３９、または排気ファン４０の近傍に吸気または排気を阻害する障害物があると吸気または排気ができなくなり、筐体４１内の温度が上昇してしまう。
本発明では、吸気ファン３９及び排気ファン４０の近傍に夫々障害物検知のためのセンサ３３が設けられている。
【００２１】
障害物検知センサ３３は、光センサや赤外線センサにより構成され、障害物が所定距離以上に近接すると障害物ありとの情報を出すものである。筐体４１内の温度上昇を防ぐには吸気より排気の方が効率が良いので、排気ファン４０側に障害物が検知された場合、吸気ファン３９と排気ファン４０の回転方向を逆にし、吸気ファン３９を排気ファンとし、排気ファン４０を吸気ファンとすることで筐体４１内の温度上昇を防いでいる。
【実施例２】
【００２２】
図２は本発明による３板型液晶投写型映像表示装置の要部構成模式図であり、（Ａ）は正面図、（Ｂ）は側面図である。図３は本発明による３板型液晶投写型映像表示装置の外観図であり、（Ａ）は正面図、（Ｂ）は側面図である。図中、５１、５２、５３は赤色、緑色、青色の光を発光する光源、５４、５５、５６は赤色、緑色、青色を表示する液晶パネル、５７はダイクロイックプリズム、５８は投写レンズ、５９は吸気ファン、６０は排気ファン、６１は障害物検知センサ、６２は筐体である。６２Ａは筐体６２に形成された多数の給排気用窓である。光源５１、５２、５３はＬＥＤまたはＥＬである。投写型映像表示装置の原理は従来技術と光源が異なるので多少異なるが基本原理は同じなので説明は省略する。
【００２３】
このような構成において、光源５１、５２、５３が集合している左右の筐体６２に吸気ファン５９と排気ファン６０が設置され、その近傍に夫々障害物検知センサ６１が設けられている。光源５１、５２、５３の駆動と共に発熱により液晶パネル５４、５５、５６の温度が上昇する。この際に吸気ファン５９と排気ファン６０により空気の流れが形成され、吸気ファン５９からの冷却風が、光源５１、５２、５３と液晶パネル５４、５５、５６に流される。その結果、筐体６２内の温度上昇を抑えることができる。
【００２４】
障害物検知センサ６１は、光センサや赤外線センサにより構成され、障害物が所定距離以上に近接すると障害物ありとの情報を出す。筐体６２内の温度上昇を防ぐには吸気より排気の方が効率が良いので、排気ファン６０側に障害物が検知された場合、吸気ファン５９と排気ファン６０の回転方向を逆にし、吸気ファン５９を排気ファンとし、排気ファン６０を吸気ファンとすることで筐体６２内の温度上昇を防いでいるのは、実施例１と同様である。本実施例のように筐体内６２の配置が左右対称であるとファンの回転が逆転しても空気の流れが逆になるだけなので、冷却効果を同じにすることができる。
【００２５】
また、図３に示すように筐体６２に多数の給排気用窓６２Ａを形成しておくことで、吸気ファン５９または排気ファン６０が塞がれた場合も多数の給排気用窓６２Ａから吸気または排気ができ筐体６２内の温度上昇を和らげることができる。給排気用窓６２Ａの大きさ、位置、数等は発熱源の位置、吸気ファン、排気ファンの位置を考慮して決めることは言うまでもない。
【００２６】
図４は障害物検知センサ、吸気ファン、排気ファン、アラームの制御を説明するためのブロック図である。
【００２７】
通常、制御回路６３は吸気ファン５９と排気ファン６０をそのように機能するべく吸気ファンモータ５９Ａと排気ファンモータ６０Ａを制御している。障害物検知センサ６１からの障害物の有無情報が制御回路６３に入力されるが、排気ファン６０側に障害物があることが検知されると、アラームブザー６４を駆動して警告すると共に、夫々のファンモータを逆回転になるよう制御する。吸気ファン５９と排気ファン６０の両方共に障害物が検知された場合は、アラームブザー６４を駆動して警告すると共に、その後、投写型映像表示装置の停止をする。このようにすることで、液晶パネルの温度が上昇して破壊されることを防止できる。アラームは音に限らず、光によるものでも良い。
【図面の簡単な説明】
【００２８】
【図１】本発明による単板型液晶投写型映像表示装置の要部構成模式図
【図２】本発明による３板型液晶投写型映像表示装置の要部構成模式図であり、（Ａ）は正面図、（Ｂ）は側面図
【図３】本発明による３板型液晶投写型映像表示装置の外観図であり、（Ａ）は正面図、（Ｂ）は側面図
【図４】障害物検知センサ、吸気ファン、排気ファン、アラームの制御を説明するためのブロック図
【図５】従来技術による３板式液晶プロジェクタの光学系を示した平面図
【符号の説明】
【００２９】
１    光源
２    発光部
３    パラボラリフレクタ
４    全反射ミラー
５    第１ダイクロイックミラー
６    全反射ミラー
７    第２ダイクロイックミラー
８    全反射ミラー
９    全反射ミラー
１０    ダイクロイックプリズム
１１    投写レンズ
１２    筐体
１３    吸気口
１４    排気口
１５    排気ファン
２１    液晶ライトバルブ
２２    液晶ライトバルブ
２３    液晶ライトバルブ
３１    光源ランプ
３２    反射鏡
３３    障害物検知センサ
３４    偏光フィルター板
３５    液晶パネル
３６    レンズ
３７    赤外線カットフィルター
３８    投写レンズ
３９    吸気ファン
４０    排気ファン
４１    筐体
５１    赤色光源
５２    緑色光源
５３    青色光源
５４    液晶パネル
５５    液晶パネル
５６    液晶パネル
５７    ダイクロイックプリズム
５８    投写レンズ
５９    吸気ファン
５９Ａ  吸気ファンモータ
６０    排気ファン
６０Ａ  排気ファンモータ
６１    障害物検知センサ
６２    筐体
６２Ａ  給排気用窓
６３    制御回路
６４    アラームブザー
【図１】
2009192859.tif 000003
【図２】
2009192859.tif 000004
【図３】
2009192859.tif 000005
【図４】
2009192859.tif 000006
【図５】
2009192859.tif 000007